(57)【要約】【課題】  フレキシブル配線基板と、光送受信部及び電子回路基板が配設された筐体との間で発生する不要輻射を防止することを課題とする。【解決手段】  光信号の送信又は受信の少なくとも一方を行うリジット基板２９と、デジタル電気信号を処理するリジット基板３２とを接続するフレキ部４８は、筐体４２の底面に設けられた絶縁部材１２０上に設置されている。これにより、フレキ部４８に流れるリターン電流が筐体４２に流れ込むことがないので、不要輻射を発生させることがない。【選択図】    図６
2006140585.tif 000002
【特許請求の範囲】
【請求項１】
光信号の送信又は受信の少なくとも一方を行う光送受信部と、
筐体内に配設され、前記光送受信部からのデジタル電気信号を処理するデジタル信号制御部と、
前記光送受信部と前記デジタル信号制御部とを接続するフレキシブル配線基板と、
を備える光信号伝送装置において、
前記フレキシブル配線基板は、前記筐体に設けられた絶縁体上に配置されていることを特徴とする光信号伝送装置。
【請求項２】
前記絶縁体は、発泡材料であることを特徴とする請求項１に記載の光信号伝送装置。
【請求項３】
前記絶縁体は、電波吸収材料であることを特徴とする請求項１に記載の光信号伝送装置。
【請求項４】
光信号の送信又は受信の少なくとも一方を行う光送受信部と、
筐体内に配設され、前記光送受信部からのデジタル電気信号を処理するデジタル信号制御部と、
前記光送受信部と前記デジタル信号制御部とを接続するフレキシブル配線基板と、
を備える光信号伝送装置において、
前記フレキシブル配線基板は、前記筐体の底面に対して略直角に屈曲され、前記筐体の底面に形成された凹部に沿って設置されていることを特徴とする光信号伝送装置。
【請求項５】
光信号の送信又は受信の少なくとも一方を行う光送受信部と、
筐体内に配設され、前記光送受信部からのデジタル電気信号を処理するデジタル信号制御部と、
前記光送受信部と前記デジタル信号制御部とを接続するフレキシブル配線基板と、
を備える光信号伝送装置において、
前記フレキシブル配線基板の前記筐体の底面側には、導電性部材が設けられていることを特徴とする光信号伝送装置。
【請求項６】
前記導電性部材はシート状とされ、周辺が絶縁部材で覆われていることを特徴とする請求項５に記載の光信号伝送装置。
【請求項７】
光信号の送信又は受信の少なくとも一方を行う光送受信部と、
筐体内に配設され、前記光送受信部からのデジタル電気信号を処理するデジタル信号制御部と、
前記光送受信部と前記デジタル信号制御部とを接続するフレキシブル配線基板と、
を備える光信号伝送装置において、
前記フレキシブル配線基板は、信号線を配線する信号配線層とグランド領域を形成するグランド層の２層で構成されており、前記グランド層を前記筐体の底面側に位置させたことを特徴とする光信号伝送装置。
【請求項８】
光信号の送信又は受信の少なくとも一方を行う光送受信部と、
筐体内に配設され、前記光送受信部からのデジタル電気信号を処理するデジタル信号制御部と、
前記光送受信部と前記デジタル信号制御部とを接続するフレキシブル配線基板と、
を備える光信号伝送装置において、
前記フレキシブル配線基板は、前記筐体の底面に対して略直角に屈曲されており、さらに、１８０度屈曲されてループ部が形成され、前記筐体に形成された押圧部材で、前記ループ部を筐体に対して押圧していることを特徴とする光信号伝送装置。
【請求項９】
光信号の送信又は受信の少なくとも一方を行う第１光送受信部と、第１筐体内に配設され、前記第１光送受信部からのデジタル電気信号を処理して電気ケーブルを介してホストへ出力し、また、前記ホストから入力されるデジタル電気信号を処理し、前記第１光送受信部へ出力する第１デジタル信号制御部と、前記第１光送受信部と前記第１デジタル信号制御部とを接続する第１フレキシブル配線基板と、を備える第１光信号伝送装置と、光信号の送信又は受信の少なくとも一方を行う第２光送受信部と、第２筐体内に配設され、前記第２光送受信部からのデジタル電気信号を処理して電気ケーブルを介してモニタへ出力し、また、前記モニタから入力されるデジタル電気信号を処理し、前記第２光送受信部へ出力する第２デジタル信号制御部と、前記第２光送受信部と前記第２デジタル信号制御部とを接続する第２フレキシブル配線基板と、を備える第２光信号伝送装置と、を備える光信号伝送システムにおいて、
前記第１フレキシブル配線基板は、前記第１筐体に設けられた絶縁体上に配置され、且つ、前記第２フレキシブル配線基板は、前記第２筐体に設けられた絶縁体上に配置されていることを特徴とする光信号伝送システム。
【発明の詳細な説明】
【技術分野】
【０００１】
本発明は、光信号伝送装置及びこの光信号伝送装置を用いた光信号伝送システムに関する。
【背景技術】
【０００２】
液晶パネルやプラズマディスプレイの高解像度化に伴い、ホストからの大容量映像信号をデジタル信号のまま伝送することが求められている。例えば、業界団体であるＤＤＷＧ（Ｄｉｇｉｔａｌ  Ｄｉｓｐｌａｙ  Ｗｏｒｋｉｎｇ  Ｇｒｏｕｐ）が策定したＤＶＩ（Ｄｉｇｉｔａｌ  Ｖｉｓｕａｌ  Ｉｎｔｅｒｆａｃｅ：デジタル映像伝送規格）は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）と呼ばれる差動信号規格で、１ビットあたり１．６５Ｇｂｐｓという高速信号により映像情報を伝送すると共に、低速信号ではあるが、ディスプレイ情報などをＤＤＣ信号としてディスプレイからホストへ伝送するものである。
【０００３】
この伝送媒体としては、一般にはディスプレイケーブルとして広く使われているシールド付きのメタルケーブルが用いられるが、信号が高速ゆえに、ケーブルの長さを１０ｍ以上延ばすことができない、という問題があった。
【０００４】
そこで、このデジタル信号を光に変換して、長距離伝送をする方式が提案されている（特許文献１参照）。
【０００５】
この特許文献１の光送受信モジュールでは、光信号を電気信号に変換、又は、電気信号を光信号に変換する光送受信部が、フレキシブル配線基板で電子回路基板に接続される構成となっている。これらの光送受信部及び電子回路基板は筐体に配設されており、フレキシブル配線基板が筐体の底面に接触して、一部で底面との間に隙間が生じると、不要輻射が発生したり、筐体を通じてフレキシブル配線基板からの不要輻射が外部に漏れることが問題となっている。
【特許文献１】特開２００４−２４１９１５号公報
【発明の開示】
【発明が解決しようとする課題】
【０００６】
本発明は、上記事実を考慮し、フレキシブル配線基板と、光送受信部及び電子回路基板が配設された筐体との間で発生する不要輻射を防止する光信号伝送装置及びこの光信号伝送装置を用いた光信号伝送システムを提供することを目的とする。
【課題を解決するための手段】
【０００７】
上記目的を達成するために請求項１に記載の発明は、光信号の送信又は受信の少なくとも一方を行う光送受信部と、筐体内に配設され、前記光送受信部からのデジタル電気信号を処理するデジタル信号制御部と、前記光送受信部と前記デジタル信号制御部とを接続するフレキシブル配線基板と、を備える光信号伝送装置において、前記フレキシブル配線基板は、前記筐体に設けられた絶縁体上に配置されていることを特徴としている。
【０００８】
請求項１に記載の発明によれば、光信号の送信又は受信の少なくとも一方を行う光送受信部と、光送受信部からのデジタル電気信号を処理するデジタル信号制御部とを接続するフレキシブル配線基板は、筐体の底面に設けられた絶縁体上に設置されている。これにより、フレキシブル配線基板に流れるリターン電流が筐体に流れ込むことがないので、不要輻射を発生させることがない。
【０００９】
請求項２に記載の発明は、前記絶縁体は、発泡材料であることを特徴としている。
【００１０】
請求項２に記載の発明によれば、絶縁体として誘電率が小さい発泡材料を用いることで、フレキシブル配線基板と筐体の底面との間を、完全に絶縁状態にすることができる。これにより、フレキシブル配線基板に流れるリターン電流が筐体に流れ込んでしまうことがないので、不要輻射の発生を防止できる。
【００１１】
請求項３に記載の発明は、前記絶縁体は、電波吸収材料であることを特徴としている。
【００１２】
請求項３に記載の発明によれば、絶縁体として電波吸収材を用いることで、フレキシブル配線基板から発生した電磁波が電波吸収材で吸収される。これにより、筐体に電磁波が伝導することを完全に防ぐことができるので、フレキシブル配線基板と筐体の間に不要輻射が発生するのを確実に防止することができる。
【００１３】
請求項４に記載の発明は、光信号の送信又は受信の少なくとも一方を行う光送受信部と、筐体内に配設され、前記光送受信部からのデジタル電気信号を処理するデジタル信号制御部と、前記光送受信部と前記デジタル信号制御部とを接続するフレキシブル配線基板と、を備える光信号伝送装置において、前記フレキシブル配線基板は、前記筐体の底面に対して略直角に屈曲され、前記筐体の底面に形成された凹部に沿って設置されていることを特徴としている。
【００１４】
請求項４に記載の発明によれば、フレキシブル配線基板が、筐体の底面に形成された凹部に沿って設置されている。これにより、フレキシブル配線基板に流れるリターン電流が筐体に流れ込んでも、フレキシブル配線基板と筐体とが密着しているため、筐体に流れるリターン電流の場所によるばらつきがなくなり、不要輻射が発生しない。
【００１５】
請求項５に記載の発明は、光信号の送信又は受信の少なくとも一方を行う光送受信部と、筐体内に配設され、前記光送受信部からのデジタル電気信号を処理するデジタル信号制御部と、前記光送受信部と前記デジタル信号制御部とを接続するフレキシブル配線基板と、を備える光信号伝送装置において、前記フレキシブル配線基板の前記筐体の底面側には、導電性部材が設けられていることを特徴としている。
【００１６】
請求項５に記載の発明によれば、フレキシブル配線基板の筐体の底面側に導電性部材を設けることで、導電性部材が部分的に筐体の底面と接触している場合でも、フレキシブル配線基板全体が筐体の底面に接触した状態となる。これにより、フレキシブル配線基板と筐体に流れるリターン電流の場所によるばらつきがなくなり、不要輻射を発生させることがない。
【００１７】
請求項６に記載の発明は、前記導電性部材はシート状とされ、周辺が絶縁部材で覆われていることを特徴としている。
【００１８】
請求項６に記載の発明によれば、シート状の導電性部材の周辺を絶縁部材で覆うことで、フレキシブル配線基板から周辺を絶縁部材で覆われた導電性部材のシート状の一部が剥がれた場合でも、他の部品には周辺の絶縁部材が接触して、直接導電性部材が接触することがないので、ショートする恐れがない。
【００１９】
請求項７に記載の発明は、光信号の送信又は受信の少なくとも一方を行う光送受信部と、筐体内に配設され、前記光送受信部からのデジタル電気信号を処理するデジタル信号制御部と、前記光送受信部と前記デジタル信号制御部とを接続するフレキシブル配線基板と、を備える光信号伝送装置において、前記フレキシブル配線基板は、信号線を配線する信号配線層とグランド領域を形成するグランド層の２層で構成されており、前記グランド層を前記筐体の底面側に位置させたことを特徴としている。
【００２０】
請求項７に記載の発明によれば、フレキシブル配線基板は信号層とグランド層の２層からなっている。そして、グランド層を筐体の底面側に位置させる。これにより、フレキシブル配線基板に流れるリターン電流はすべてグランド層を流れ、筐体に流れるリターン電流の場所によるばらつきがなくなり、不要輻射の発生を抑制できる。
【００２１】
請求項８に記載の発明は、光信号の送信又は受信の少なくとも一方を行う光送受信部と、筐体内に配設され、前記光送受信部からのデジタル電気信号を処理するデジタル信号制御部と、前記光送受信部と前記デジタル信号制御部とを接続するフレキシブル配線基板と、を備える光信号伝送装置において、前記フレキシブル配線基板は、前記筐体の底面に対して略直角に屈曲されており、さらに、１８０度屈曲されてループ部が形成され、前記筐体に形成された押圧部材で、前記ループ部を筐体に対して押圧していることを特徴としている。
【００２２】
請求項８に記載の発明によれば、フレキシブル配線基板は、筐体の底面に対して直角に屈曲されて、さらに、１８０度屈曲されてループ部が形成されている。このとき、押圧部材でこのループ部を筐体に対して押圧することで、ループ径を小さくすることができる。これにより、ループ部を広い領域で筐体に接触させることができるので、フレキシブル配線基板を筐体に密着させた状態にでき、筐体に流れるリターン電流の場所によるばらつきがなくなるため、不要輻射を低減させることが可能となる。
【００２３】
請求項９に記載の発明は、光信号の送信又は受信の少なくとも一方を行う第１光送受信部と、第１筐体内に配設され、前記第１光送受信部からのデジタル電気信号を処理して電気ケーブルを介してホストへ出力し、また、前記ホストから入力されるデジタル電気信号を処理し、前記第１光送受信部へ出力する第１デジタル信号制御部と、前記第１光送受信部と前記第１デジタル信号制御部とを接続する第１フレキシブル配線基板と、を備える第１光信号伝送装置と、光信号の送信又は受信の少なくとも一方を行う第２光送受信部と、第２筐体内に配設され、前記第２光送受信部からのデジタル電気信号を処理して電気ケーブルを介してモニタへ出力し、また、前記モニタから入力されるデジタル電気信号を処理し、前記第２光送受信部へ出力する第２デジタル信号制御部と、前記第２光送受信部と前記第２デジタル信号制御部とを接続する第２フレキシブル配線基板と、を備える第２光信号伝送装置と、を備える光信号伝送システムにおいて、前記第１フレキシブル配線基板は、前記第１筐体に設けられた絶縁体上に配置され、且つ、前記第２フレキシブル配線基板は、前記第２筐体に設けられた絶縁体上に配置されていることを特徴としている。
【００２４】
請求項９に記載の発明によれば、光信号の送信又は受信の少なくとも一方を行う第１光送受信部と、第１光送受信部からのデジタル電気信号を処理する第１デジタル信号制御部とを接続する第１フレキシブル配線基板は、第１筐体の底面に設けられた絶縁体上に設置されている。また、光信号の送信又は受信の少なくとも一方を行う第２光送受信部と、第２光送受信部からのデジタル電気信号を処理する第２デジタル信号制御部とを接続する第２フレキシブル配線基板は、第１筐体の底面に設けられた絶縁体上に設置されている。これにより、第１フレキシブル配線基板及び第２フレキシブル配線基板に流れるリターン電流が、それぞれ第１筐体及び第２筐体に流れ込むことがないので、不要輻射を発生させることがない光信号伝送システムが得られる。
【発明の効果】
【００２５】
本発明は上記構成としたので、フレキシブル配線基板と、光送受信部及び電子回路基板が配設された筐体との間で発生する不要輻射を防止する。
【発明を実施するための最良の形態】
【００２６】
以下、図面を参照して本発明の実施形態に係る光信号伝送装置１２について説明する。
【００２７】
（全体構成）
まず、本実施形態の光信号伝送装置１２を備えた映像信号伝送装置システム１０について、図１に基づいて簡単に説明する。
【００２８】
映像信号伝送装置システム１０は、ホスト１６からの映像信号をモニタ１４に表示するシステムである。ホスト１６から出力された映像信号は、ホスト１６に接続された光信号伝送装置１２Ａで光信号に変換され、光ファイバーを介してモニタ１４に接続された光信号伝送装置１２Ｂへ送信される。光信号伝送装置１２Ｂは、光信号伝送装置１２Ａから送信された光信号をデジタル電気信号に変換し、画像をモニタ１４に表示する。
【００２９】
光信号伝送装置１２が伝送するデジタル信号としては、映像信号の規格の１つに業界団体ＤＤＷＧが策定したＤＶＩなどが適用される。また、この他に音声情報やリモコン情報のやり取り等を行うためのＤＶＩ信号とは別の非ＤＶＩ信号も適用される。
【００３０】
（光信号伝送装置）
図１及び図２に示すように、ホスト１６側には、光信号伝送装置１２Ａが接続されており、モニタ１４側には、光信号伝送装置１２Ｂが接続されている。
【００３１】
光信号伝送装置１２Ａ及び光信号伝送装置１２Ｂはほぼ同じ構成とされているので、ここでは光信号伝送装置１２Ａを例にとって説明する。
【００３２】
光信号伝送装置１２Ａは、光信号送信部２６、光信号受信部２８、デジタル信号制御部３０で構成されている。光信号送信部２６は、光送信モジュール２２と、この光送信モジュール２２が搭載されたリジット基板２７で構成されている。また、光信号受信部２８は、光受信モジュール２４と、この光受信モジュール２４が搭載されたリジット基板２９で構成されている。
【００３３】
また、図２に示すように、光信号伝送装置１２Ａは、箱状の筐体４２と、筐体４２の開口部を塞ぐ蓋部４４を備えている。筐体４２の底部には、デジタル信号制御部３０を構成するリジット基板３２が設置されている。リジット基板３２は、一角に切欠部５０が形成され、略Ｌ字状とされている。この切欠部５０には、保持部材としてのレセプタクル５４が設置されている。
【００３４】
図３に示すように、レセプタクル５４は略矩形箱状とされており、切欠部５０（図２参照）の他辺５０Ｂに対向する側面５４Ａと、この側面５４Ａに対向する側面からは、薄板状の板部６２、６３がそれぞれ延設されている。
【００３５】
レセプタクル５４は、上方向からシールド部材７０によって覆われるようになっている。シールド部材７０は略矩形状の板材７２を有しており、板材７２の一方の両端部からは一方向から見たときに略Ｌ字状とされたアーム部材７４、７６が延設されている。アーム部材７４、７６は、シールド部材７０でレセプタクル５４を覆ったとき、レセプタクル５４に形成された板部６２、６３に重なる位置に形成されている。
【００３６】
アーム部材７４、７６には貫通孔７８、７９が形成されている。アーム部材７４、７６と板材７２でレセプタクル５４を覆い、貫通孔７８、７９とレセプタクル５４の板部６２、６３に形成された貫通孔８０、８１に挿入したネジ８４、８５を、筐体４２の底部に形成されたネジ孔８６、８７に螺合させる。これにより、レセプタクル５４はシールド部材７０に覆われて、筐体４２の底部に固定される。
【００３７】
また、板材７２の他方の端部には、レセプタクル５４の、切欠部５０の一辺５０Ａ（図２参照）に対向する側面５４Ｂに沿って板片８８、８９が突設されている。板片８８、８９には、それぞれネジ孔９０、９１が形成されており、光信号送信部２６を構成するリジット基板２７に形成された貫通孔９４、９５に挿入されたネジ９６、９７を、このネジ孔９０、９１に螺合させることで、リジット基板２７をシールド部材７０に保持固定させるようになっている。これにより、リジット基板２７は、レセプタクル５４の側面５４Ｂに保持固定されるようになっている。
【００３８】
レセプタクル５４の側面５４Ｂには、断面形状が略Ｕ字状の凹部６８が形成されている。リジット基板２７をレセプタクル５４の側面５４Ｂに保持固定させると、リジット基板２７に搭載された円柱状の光送信モジュール２２が凹部６８に挿通され、位置決めされる。
【００３９】
また、レセプタクル５４の側面５４Ａにはネジ孔６５が形成されており、光信号受信部２８を構成するリジット基板２９に形成された貫通孔６７に挿入されたネジ６９をこのネジ孔６５に螺合することで、リジット基板２９はレセプタクル５４の側面５４Ａに保持固定されるようになっている。
【００４０】
側面５４Ａには、略矩形状の開口部６６が形成されている。リジット基板２９を側面５４Ａに保持固定させると、リジット基板２９に搭載されている四角柱状の光受信モジュール２４が開口部６６に挿通され、位置決めされる。
【００４１】
図４に示すように、光送信モジュール２２の延長線上の筐体４２の側壁には、コネクタ１０５が設けられている。コネクタ１０５には、光ケーブル１８が続されたコネクタ２０が嵌合されるようになっており、光ケーブル１８を介して、光受信モジュール２４へ光信号が出力され、また、光受信モジュール２２から光信号が入力されるようになっている。
【００４２】
詳細には、光送信モジュール２２には発光素子１１２及びレンズ１１４、１１５が搭載されており、発光素子１１２から発光した光信号は、レンズ１１４で平行光に変換され、レンズ１１５により集光されてコネクタ１０５へ導かれて、光ケーブル１８の光ファイバへ出力される。
【００４３】
また、光受信モジュール２４には、図示は省略するが、受光素子、受信アンプ、レンズが搭載されており、光ケーブル１８の光ファイバからコネクタ１０５を介して光受信モジュール２４に入力した光信号は、レンズで集光されて受光素子に入力されるようになっている。
【００４４】
また、図２に示すように、リジット基板３２には、レセプタクル５４が設けられた反対側に、雌コネクタ５８が取り付けられている。この雌コネクタ５８には、シールドケーブル６０のハーネス６１に取り付けられた雄コネクタ５９が嵌合するようになっている。これにより、シールドケーブル６０を介して、ホスト１６（図１参照）からデジタル信号制御部３０（リジット基板３２）に映像信号等が伝送される。
【００４５】
また、リジット基板３２には、雌コネクタ５５が設置されている。この雌コネクタ５５には、シールドケーブル５７の一端に接続された雄コネクタ５６が嵌合されるようになっており、シールドケーブル５７を介してホスト１６へ制御信号が伝送される。
【００４６】
なお、モニタ１４側に接続される光信号伝送装置１２Ｂ（図１参照）では、光信号伝送装置１２Ａと同じような構成で、シールドケーブル７５を介してモニタ１４へ映像信号が伝送され、シールドケーブル７６を介してモニタ１４からの制御信号がデジタル信号制御部４０へ伝送されるようになっている。
【００４７】
一方、リジット基板２７とリジット基板３２はフレキ部４６で接続されており、リジット基板２９とリジット基板３２はフレキ部４８で接続されている。
【００４８】
図５には、リジット基板２７、２９をレセプタクル５４に保持固定させる前の状態、すなわち、リジット基板２７とリジット基板３２を接続するフレキ部４６及びリジット基板２９とリジット基板３２を接続するフレキ部４８を展開した状態が示されている。
【００４９】
リジット基板２７、２９、３２及びフレキ部４６、４８は、例えば、ポリイミドをベースとしたフレキシブル基板と、ガラスエポキシをベースとしたリジッド基板を組み合わせ一体化したものであり、１つの基板の中に、折り曲げが可能なフレキシブル基板からなるフレキ部４６、４６と、電子部品が搭載されるリジット基板２７、２９、３２が混在する構成となっている。本実施形態では、リジット基板２７、２９、３２が６層で構成されており、この６層の中間の層の３層目と４層目の２層がフレキ部４６、４８とされている。
【００５０】
デジタル信号制御部３０を構成するリジット基板３２の切欠部５０の一辺５０Ａ側には、光信号送信部２６を構成するリジット基板２７が配設されている。リジット基板２７は、一辺５０Ａに対向する位置に凹部５２が形成され、略Ｌ字状とされている。この凹部５２には、一端が切欠部５０の一辺５０Ａに接続されたフレキ部４６の他端が接続されている。これにより、リジット基板２７は、フレキ部４６によってリジット基板３２に接続されて電気的に接続されている。
【００５１】
また、切欠部５０には、リジット基板２７と平行になるようにして、光信号受信部２８を構成するリジット基板２９が配設されている。リジット基板２９は、フレキ部４８によってリジット基板３２に接続されて電気的に接続されている。
【００５２】
フレキ部４８は、一端が切欠部５０の一辺５０Ａに接続されており、フレキ部４６に平行で、リジット基板２７を超える長さになるようにして延設された長辺部４８Ａと、長辺部４８Ａに対して直交し、切欠部５０の他辺５０Ｂと反対方向に延設された短辺部４８ＢとでＬ字状に構成されている。この短辺部４８Ｂが、リジット基板２９の、切欠部５０の他辺５０Ｂに対向する一辺に接続されている。
【００５３】
図５に示すように、フレキ部４６、４８を展開した状態において、リジット基板２７、リジット基板２９の紙面側を表面、反対側を裏面とする。そして、図２に示すように、リジット基板２７は、フレキ部４６を略９０度折り曲げて、裏面がレセプタクル５４の側面５４Ｂに対向するようにして保持固定される。
【００５４】
また、リジット基板２９は、フレキ部４８の長辺部４８Ａを略１８０度折り曲げてループ部を形成し、さらに短辺部４８Ｂを略９０度折り曲げて、表面がレセプタクル５４の側面５４Ａに対向するようにして保持固定される。
【００５５】
図６に示すように、フレキ部４８の短辺部４８Ｂと対向する筐体４２の底面には、絶縁性材料からなる絶縁部材１２０が貼着されている。絶縁部材１２０は、０．５ｍｍ〜５ｍｍ程度の厚みを有している。
【００５６】
例えば、図７（Ａ）に示すように、フレキ部４８の短辺部４８Ｂを筐体４２の底面に接触させ、略９０度折り曲げた場合、短辺部４８Ｂと筐体４２の底面との間に微小な隙間ができる。この隙間の間隔は場所により異なる。また、フレキ部４８に流れるリターン電流は筐体４２に流れ込んでおり、隙間の間隔によりその大きさが異なるため、筐体４２に流れるリターン電流には場所によるばらつきが生じている。このため、隙間の部分で不要輻射が発生する。
【００５７】
そこで、図７（Ｂ）に示すように、フレキ部４８の短辺部４８Ｂと対向する筐体４２の底面に絶縁部材１２０を配設して、フレキ部４８に流れるリターン電流を筐体４２に流れ込まないようにすることで、不要輻射を発生させない。
【００５８】
なお、絶縁性材料としては、発泡材料や電波吸収材料などが用いられる。絶縁体として誘電率が小さい発泡材料を用いた場合、フレキ部４８と筐体４２との間を完全に絶縁状態にすることができる。また、電波吸収材を用いた場合、フレキ部４８から発生した電磁波が電波吸収材で吸収されるので、筐体４２に電磁波が伝導することを完全に防ぐことができる。
【００５９】
なお、絶縁性材料としては、上に挙げた発泡材料や電波吸収材料以外にも、種々のものを用いることができる。
【００６０】
また、筐体に流れるリターン電流のばらつきを抑えるため、絶縁体の厚さを均一にしておくことが望ましい。
【００６１】
次に、本発明の第２の実施形態に係る光信号伝送装置について説明する。なお、第１の実施形態と同様の部分についての説明は割愛する。
【００６２】
図８に示すように、フレキ部４８の短辺部４８Ｂが筐体４２の底面に接触する部分には、凹部１２２が形成されている。凹部１２２は、フレキ部４８の幅とほぼ同じ寸法で、フレキ部４８の短辺部４８Ｂを屈曲させたときの自然なたわみに合うようにして形成されており、フレキ部４８の短辺部４８Ｂを凹部１２２に接地する。
【００６３】
これにより、フレキ部４８に流れるリターン電流が筐体４２に流れ込んでも、フレキ部４８と筐体４２が密着しているため、筐体４２に流れるリターン電流は場所によるばらつきがなく均一になり、不要輻射を発生させることがない。
【００６４】
なお、本実施形態では、凹部１２２をフレキ部４８の幅とほぼ同じ寸法で形成する構成としたが、フレキ部４８のたわみに合わせて形成されていればよく、幅方向の寸法はフレキ部４８の幅とほぼ同じにする必要はない。
【００６５】
次に、本発明の第３の実施形態に係る光信号伝送装置について説明する。なお、第１の実施形態と同様の部分についての説明は割愛する。
【００６６】
図９に示すように、フレキ部４８の短辺部４８Ｂの筐体４２の底面に対向する面には、導電性テープ１２４が貼り付けられている。
【００６７】
これにより、導電性テープ１２４が部分的に筐体４２と接触している場合でも、フレキ部４８の短辺部４８Ｂ全体が筐体４２と接触した状態となる。従って、筐体４２に流れるリターン電流の場所によるばらつきがなくなり、不要輻射を発生させることがない。
【００６８】
なお、図１０に示すように、導電性テープ１２６の周囲を絶縁部材１２８で覆ったものをフレキ部４８の短辺部４８Ｂの筐体４２（図９参照）の側の面に貼り付けてもよい。このとき、フレキ部４８と導電テープ１２６の間は、全面に渡り絶縁部材１２８が挿入されているか、もしくはフレキ部４８と導電テープ１２６６が直接接触している状態とする。そして、導電性テープ１２６が露出している部分を筐体４２に接触させる。このように、導電性テープ１２６の周囲を絶縁部材１２８で覆うことで、フレキ部４８から周囲を絶縁部材１２８で覆われた導電性テープ１２８の一部が剥がれた場合でも、他の部品には絶縁部材１２８が接触して、直接導電性テープ１２８が接触することがないので、ショートする恐れがない。
【００６９】
次に、本発明の第４の実施形態に係る光信号伝送装置について説明する。なお、第１の実施形態と同様の部分についての説明は割愛する。
【００７０】
図１１に示すように、フレキ部４８は、信号線が配線される信号層４８ａと、グランド領域が形成され、リターン電流が流れるグランド層４８ｂの２層で構成されている。図１１（Ｂ）には、本実施形態のフレキ部４８の層構成を各台したものを示している。そして、筐体４２と接触するフレキ部４８の短辺部４８Ｂにおいて、グランド層４８ｂを筐体４２側に位置させる。
【００７１】
このように、リターン信号が流れるグランド層４８ｂを筐体４２側に位置させることで、フレキ部４８に流れるリターン電流は全てグランド層４８ｂを流れ、筐体４２に流れるリターン電流の場所によるばらつきがなくなる。従って、不要輻射の発生を抑制できる。
【００７２】
次に、本発明の第５の実施形態に係る光信号伝送装置について説明する。なお、第１の実施形態と同様の部分についての説明は割愛する。
【００７３】
図１２に示すように、フレキ部４８の長辺部４８Ａを１８０度折り曲げた際に形成されるループ部を押さえるようにして、筐体４２に一方向から見て略Ｌ字状の絶縁体からなる押圧部材１３０が設けられている。この押圧部材１３０によって、フレキ部４８のループ部が、筐体４２に向かって押圧される構成となっている。
【００７４】
図１３（Ａ）には、押圧していない状態のフレキ部４８のループ部を示している。そして、図１３（Ｂ）には、押圧部材１３０によって、ループ部を筐体４２に向けて押圧した状態を示している。このように、ループ部を筐体４２に向けて押圧することでループ径が小さくなり、ループ部、すなわち、フレキ部４８の長辺部４Ａを広い領域で筐体４２に接触させることができる。従って、フレキ部４８の長辺部４８Ａが筐体４２に密着した状態になり、不要輻射の発生を抑えることが可能となる。
【００７５】
なお、本実施形態では、フレキ部４８のループ部を押圧する押圧部材１３０を筐体４２に設ける構成としたが、押圧部材はレセプタクル５４に設ける構成としてもよい。
【図面の簡単な説明】
【００７６】
【図１】本発明の実施形態の光信号伝送装置を備えた光信号伝送システムの概略構成を示すブロック図である。
【図２】本発明の実施形態の光信号伝送装置を示す斜視図である。
【図３】本発明の実施形態の光信号伝送装置のレセプタクルと、これに固定される光信号送信部及び光信号受信部を示す分解斜視図である。
【図４】（Ａ）本発明の実施形態の光信号伝送装の上面断面図であり、（Ｂ）側面断面図である。
【図５】本発明の実施形態の光信号伝送装置のフレックスリジット基板の展開図である。
【図６】本発明の第１の実施形態の光信号伝送装置のフレキ部を示す斜視図である。
【図７】本発明の第１の実施形態の光信号のフレキ部を示す図であり、（Ａ）フレキ部を直接筐体に接触させた状態を示す側面図であり、（Ｂ）フレキ部に絶縁部材を貼着させた状態を示す側面図である。
【図８】本発明の第２の実施形態の光信号伝送装置のフレキ部を示す側面図である。
【図９】本発明の第３の実施形態の光信号伝送装置のフレキ部を示す側面図である。
【図１０】本発明のその他の実施形態の光信号伝送装置のフレキ部を示す斜視図である。
【図１１】（Ａ）本発明の第４の実施形態の光信号伝送装置のフレキ部を示す側面図であり、（Ｂ）フレキ部の層構成を示す拡大図である。
【図１２】本発明の第５の実施形態の光信号伝送装置のフレキ部を示す斜視図である。
【図１３】本発明の第６の実施形態の光信号伝送装置のフレキ部を示す図である、（Ａ）フレキ部が押圧されていない状態を示す側面図であり、（Ｂ）フレキ部が押圧されている状態を示す側面図である。
【符号の説明】
【００７７】
１２  光信号伝送装置
２２  光送信モジュール
２４  光受信モジュール
２６  光信号送信部
２８  光信号受信部
３０  デジタル信号制御部
４２  筐体
４８  フレキ部（フレキシブル配線基板）
４８ａ  信号層
４８ｂ  グランド層
５４  レセプタクル（保持部材）
１２０  絶縁部材（絶縁体）
１２２  凹部
１２４  導電性部材
１２６  導電性部材
１２８  絶縁部材
１３０  押圧部材
【図１】
2006140585.tif 000003
【図２】
2006140585.tif 000004
【図３】
2006140585.tif 000005
【図４】
2006140585.tif 000006
【図５】
2006140585.tif 000007
【図６】
2006140585.tif 000008
【図７】
2006140585.tif 000009
【図８】
2006140585.tif 000010
【図９】
2006140585.tif 000011
【図１０】
2006140585.tif 000012
【図１１】
2006140585.tif 000013
【図１２】
2006140585.tif 000014
【図１３】
2006140585.tif 000015